(57)【特許請求の範囲】
【請求項１】
コンロ本体の上部に備えられた天板の開口部に配置されるバーナと、そのバーナを前記天板よりも上方に突出する使用位置と前記天板よりも下方に引っ込む収納位置とに前記開口部を通して昇降する昇降手段とを備えたガスコンロであって、
前記開口部に進入可能な環状の張り出し部を有する筒状の筒状バーナ支持体に、前記バーナが前記張り出し部よりも上方に突出する状態で一体的に組み付けられて、バーナユニットが構成され、
筒状に構成されると共に、上端外周部に環状のシール材を載置支持可能な環状のシール載置面を有する筒状バーナ載置台が、前記昇降手段に連動連結された状態で設けられ、
前記筒状バーナ載置台の前記シール載置面と前記筒状バーナ支持体の前記張り出し部との間に前記シール材を介在させた状態で、前記バーナユニットが前記筒状バーナ載置台の軸心方向に前記筒状バーナ載置台に対して相対移動自在に前記筒状バーナ載置台に載置支持され、
前記昇降手段により前記筒状バーナ載置台を昇降して前記バーナユニットを昇降させて、前記バーナを前記使用位置と前記収納位置とに昇降可能に構成され、
前記バーナユニットの上昇を阻止して、前記バーナを前記使用位置に位置させる上昇阻止部が設けられ、
前記昇降手段により前記筒状バーナ載置台を上昇させる上死点が、前記シール材の非拡径状態が維持される状態で、前記バーナユニットを前記上昇阻止部に受け止められるまで上昇させる筒状バーナ載置台の位置よりも上方に設定されているガスコンロ。
【請求項２】
前記開口部が、前記天板に垂下状態で設けられた開口部形成筒にて構成され、
前記筒状バーナ載置台及びそれに載置支持された前記バーナユニットが、前記張り出し部の外周面が前記開口部形成筒の内周面に近接又は摺接する状態で、前記開口部形成筒内を通して昇降されるように構成されている請求項１に記載のガスコンロ。
【請求項３】
前記開口部形成筒の上端に、内径が下方側の部分よりも大径となる大径内周部が段状に備えられ、
前記上昇阻止部により前記バーナユニットの上昇が阻止されるのに伴って、前記シール材が前記張り出し部にて受け止められた状態で前記シール載置面により押圧されて拡径すると、前記シール材が前記大径内周部に嵌まり込むように構成されている請求項２に記載のガスコンロ。
【請求項４】
前記軸心方向での前記筒状バーナ支持体と前記筒状バーナ載置台との相対位置関係が、前記筒状バーナ支持体の前記張り出し部と前記筒状バーナ載置台の前記シール載置面との間隔が非拡径状態の前記シール材の厚さよりも大きくなる状態に対応する相対位置関係になったときに、互いに係合可能なように、凸状の係合部及び凹状の被係合部が前記筒状バーナ支持体と前記筒状バーナ載置台とに振り分けて設けられている請求項１〜３のいずれか１項に記載のガスコンロ。
【請求項５】
前記バーナユニットが、五徳をその上部が前記バーナの上部よりも高くなる状態の前記バーナとの所定の相対位置関係にて着脱自在に装着可能なように構成され、
前記昇降手段が、前記使用位置では前記五徳の上部が前記天板よりも上方に突出し、前記収納位置では前記バーナユニットの全体が前記天板よりも下方に引っ込むように、前記筒状バーナ載置台に載置された前記バーナユニットを昇降すべく構成され、
前記バーナユニットが前記収納位置に位置するときに、前記天板の開口部を塞ぐことが可能な蓋体が備えられている請求項１〜４のいずれか１項に記載のガスコンロ。
【発明の詳細な説明】
【技術分野】
【０００１】
本発明は、コンロ本体の上部に備えられた天板の開口部に配置されるバーナと、そのバーナを前記天板よりも上方に突出する使用位置と前記天板よりも下方に引っ込む収納位置とに前記開口部を通して昇降する昇降手段とを備えたガスコンロに関する。
【背景技術】
【０００２】
かかるガスコンロは、昇降手段によりバーナを使用位置と収納位置とに昇降させるバーナ昇降式に構成されたものであり、使用時には、バーナを天板よりも上方に突出する使用位置に位置させ、非使用時には、バーナが天板よりも下方に引っ込んだ収納位置に位置させるようにして、非使用状態のときに、天板等の清掃が行い易いようにすると共に、美観性を向上したものである（例えば、特許文献１参照。）。
【先行技術文献】
【特許文献】
【０００３】
【特許文献１】特開２００３−２４７７２４号公報
【発明の概要】
【発明が解決しようとする課題】
【０００４】
ところで、このようなガスコンロでは、バーナを使用位置に位置させて使用しているときに、鍋等の加熱用容器から吹き零れた煮汁等の異物が天板の開口部とバーナの外周部との間を通ってコンロ本体内に入り込む虞がある。
しかしながら、従来のガスコンロでは、バーナを使用位置に位置させているときに、異物が天板の開口部とバーナの外周部との間を通ってコンロ本体内に入り込むのを防止するための手段が講じられていなかった。
【０００５】
本発明は、かかる実情に鑑みてなされたものであり、その目的は、バーナを使用位置に位置させているときに、異物が天板の開口部を通ってコンロ本体内に入り込むのを防止し得るバーナ昇降式のガスコンロを提供することにある。
【課題を解決するための手段】
【０００６】
本発明のガスコンロは、コンロ本体の上部に備えられた天板の開口部に配置されるバーナと、そのバーナを前記天板よりも上方に突出する使用位置と前記天板よりも下方に引っ込む収納位置とに前記開口部を通して昇降する昇降手段とを備えたものであって、
第１特徴構成は、前記開口部に進入可能な環状の張り出し部を有する筒状の筒状バーナ支持体に、前記バーナが前記張り出し部よりも上方に突出する状態で一体的に組み付けられて、バーナユニットが構成され、
筒状に構成されると共に、上端外周部に環状のシール材を載置支持可能な環状のシール載置面を有する筒状バーナ載置台が、前記昇降手段に連動連結された状態で設けられ、
前記筒状バーナ載置台の前記シール載置面と前記筒状バーナ支持体の前記張り出し部との間に前記シール材を介在させた状態で、前記バーナユニットが前記筒状バーナ載置台の軸心方向に前記筒状バーナ載置台に対して相対移動自在に前記筒状バーナ載置台に載置支持され、
前記昇降手段により前記筒状バーナ載置台を昇降して前記バーナユニットを昇降させて、前記バーナを前記使用位置と前記収納位置とに昇降可能に構成され、
前記バーナユニットの上昇を阻止して、前記バーナを前記使用位置に位置させる上昇阻止部が設けられ、
前記昇降手段により前記筒状バーナ載置台を上昇させる上死点が、前記シール材の非拡径状態が維持される状態で、前記バーナユニットを前記上昇阻止部に受け止められるまで上昇させる筒状バーナ載置台の位置よりも上方に設定されている点にある。
【０００７】
上記特徴構成によれば、筒状バーナ載置台には、その筒状バーナ載置台のシール載置面と筒状バーナ支持体の張り出し部との間にシール材を介在させた状態で、バーナユニットが筒状バーナ載置台の軸心方向に筒状バーナ載置台に対して相対移動自在に載置されている。
そのようにバーナユニットが載置された筒状バーナ載置台が、昇降手段により昇降されて、バーナが使用位置と収納位置とに昇降される。
【０００８】
そして、バーナユニットが載置された筒状バーナ載置台が昇降手段により上昇されるときには、昇降手段による筒状バーナ載置台の昇降範囲の上死点の手前で、バーナユニットが上昇阻止部により受け止められてバーナユニットの上昇が阻止され、そのようにバーナユニットの上昇が阻止された状態で、筒状バーナ載置台が上死点まで上昇される。
バーナユニットが上昇阻止部により受け止められるまでの間は、筒状バーナ載置台のシール載置面に載置支持されたシール材には、バーナユニットの荷重がかかっているだけであり、この状態では、シール材の径は拡がっておらずシール材は非拡径状態である。
上昇阻止部によりバーナユニットの上昇が阻止された状態で、昇降手段により筒状バーナ載置台が上死点まで上昇されると、シール材は、筒状バーナ支持体の張り出し部にて受け止められた状態で筒状バーナ載置台のシール載置面により上向きに、換言すれば厚さ方向に押圧されるので、シール材は、厚さが薄くなりながら拡径して拡径状態となり、天板の開口部の内周部と筒状バーナ支持体の外周面とに全周にわたって当接して、それら天板の開口部の内周部と筒状バーナ支持体の外周面との間が全周にわたってシールされる。
尚、シール材は、非拡径状態では外径が開口部よりも小さくて開口部に進入可能であり、厚さ方向に押圧されると、外径が開口部の内径よりも大きくなるように、即ち、開口部の内周部に当接するように拡径可能なように構成される。
従って、バーナを使用位置に位置させているときに、異物が天板の開口部を通ってコンロ本体内に入り込むのを防止し得るバーナ昇降式のガスコンロを提供することができる。
【０００９】
第２特徴構成は、上記第１特徴構成に加えて、
前記開口部が、前記天板に垂下状態で設けられた開口部形成筒にて構成され、
前記筒状バーナ載置台及びそれに載置支持された前記バーナユニットが、前記張り出し部の外周面が前記開口部形成筒の内周面に近接又は摺接する状態で、前記開口部形成筒内を通して昇降されるように構成されている点にある。
【００１０】
上記特徴構成によれば、筒状バーナ支持体の張り出し部が開口部形成筒の内周面に近接又は摺接する状態で、筒状バーナ載置台及びそれに載置支持されたバーナユニットが開口部形成筒内を通して昇降されるので、バーナユニットが昇降する際に横揺れを抑制することができる。
従って、バーナを横揺れが抑制された状態で安定して昇降させることができる。
【００１１】
第３特徴構成は、上記第２特徴構成に加えて、
前記開口部形成筒の上端に、内径が下方側の部分よりも大径となる大径内周部が段状に備えられ、
前記上昇阻止部により前記バーナユニットの上昇が阻止されるのに伴って、前記シール材が前記張り出し部にて受け止められた状態で前記シール載置面により押圧されて拡径すると、前記シール材が前記大径内周部に嵌まり込むように構成されている点にある。
【００１２】
上記特徴構成によれば、上昇阻止部によりバーナユニットの上昇が阻止された状態で、昇降手段により筒状バーナ載置台が上死点まで上昇されると、シール材が拡径状態となって大径内周部に嵌まり込む。
そして、大径内周部は、開口部形成筒の上端部に段状に備えられているので、万が一、シール材と開口部形成筒の大径内周部との間や、シール材と筒状バーナ支持体の外周面との間に微細な隙間が生じていて、その隙間を通って吹き零れた煮汁等の異物が浸入してきたとしても、大径内周部の段部によりコンロ本体内への異物の浸入が阻止される。
従って、バーナを使用位置に位置させているときに、異物が天板の開口部を通ってコンロ本体内に入り込むのを確実に防止することができる。
【００１３】
第４特徴構成は、上記第１〜第３特徴構成のいずれか１つに加えて、
前記軸心方向での前記筒状バーナ支持体と前記筒状バーナ載置台との相対位置関係が、前記筒状バーナ支持体の前記張り出し部と前記筒状バーナ載置台の前記シール載置面との間隔が非拡径状態の前記シール材の厚さよりも大きくなる状態に対応する相対位置関係になったときに、互いに係合可能なように、凸状の係合部及び凹状の被係合部が前記筒状バーナ支持体と前記筒状バーナ載置台とに振り分けて設けられている点にある。
【００１４】
上記特徴構成によれば、昇降手段により、バーナユニットが載置された筒状バーナ載置台が上死点から下降されるときに、バーナユニットが使用位置に残されたままになって、軸心方向での筒状バーナ支持体と筒状バーナ載置台との相対位置関係が、筒状バーナ支持体の張り出し部と筒状バーナ載置台のシール載置面との間隔が非拡径状態のシール材の厚さよりも大きくなる状態に対応する相対位置関係になると、凸状の係合部と凹状の被係合部とが係合する。すると、昇降手段により下降される筒状バーナ載置台に引っ張られて、バーナユニットが強制的に下降される。
【００１５】
つまり、バーナユニットが使用位置に位置されているときに、シール材が開口部の内周部に密着していると、バーナユニットが筒状バーナ載置台に載置支持される状態が解除されても、バーナユニットが使用位置に残されたままで下降しない場合がある。
このような場合でも、昇降手段により筒状バーナ載置台が下降されると、その筒状バーナ載置台に引っ張られて、バーナユニットが強制的に下降されるのである。
従って、使用位置と収納位置との間のバーナユニットの昇降を適切に行えながら、バーナを使用位置に位置させているときに異物が天板の開口部を通ってコンロ本体内に入り込むのを防止することができる。
【００１６】
第５特徴構成は、上記第１〜第４特徴構成のいずれか１つに加えて、
前記バーナユニットが、五徳をその上部が前記バーナの上部よりも高くなる状態の前記バーナとの所定の相対位置関係にて着脱自在に装着可能なように構成され、
前記昇降手段が、前記使用位置では前記五徳の上部が前記天板よりも上方に突出し、前記収納位置では前記バーナユニットの全体が前記天板よりも下方に引っ込むように、前記筒状バーナ載置台に載置された前記バーナユニットを昇降すべく構成され、
前記バーナユニットが前記収納位置に位置するときに、前記天板の開口部を塞ぐことが可能な蓋体が備えられている点にある。
【００１７】
上記特徴構成によれば、バーナユニットに五徳を装着した状態で、バーナユニットを使用位置と収納位置とに昇降させることができる。
そして、バーナユニットを使用位置に上昇させると、バーナユニットには、五徳がバーナに対する所定の相対位置関係で装着されているので、その五徳に鍋等の加熱用容器を載置してバーナを使用することができ、使い勝手が良い。
又、バーナユニットを収納位置に下降させると、バーナユニット全体が天板よりも下方に引っ込んで、天板の開口部を蓋体にて塞ぐことができるので、清掃性及び美観性がより一層向上する。
従って、使い勝手を向上しながら、バーナを使用位置に位置させているときに異物が天板の開口部を通ってコンロ本体内に入り込むのを防止することができる。
【図面の簡単な説明】
【００１８】
【図１】ガスコンロの外観を示す斜視図
【図２】天板の開口部を塞ぐ蓋体を示すガスコンロ要部の斜視図
【図３】バーナセットの平面図
【図４】バーナが収納位置に位置する状態でのバーナセットの斜視図
【図５】バーナが使用位置に位置する状態でのバーナセットの斜視図
【図６】図３のＶＩ−ＶＩ方向での断面図
【図７】開口部形成筒の配設状態を示すバーナセットの要部の斜視図
【図８】筒状バーナ載置台の配設状態を示すバーナセットの要部の斜視図
【図９】筒状バーナ支持体の配設状態を示すバーナセットの要部の斜視図
【図１０】バーナが収納位置に位置する状態でのバーナセット要部の縦断右側面図
【図１１】バーナが使用位置に位置する状態でのバーナセット要部の縦断右側面図
【図１２】バーナの上昇に伴うシール材のシール作用を説明する図
【図１３】図３のＸＩＩＩ−ＸＩＩＩ方向での断面図
【図１４】バーナの下降に伴う係合用ボルトと係合用孔の係合状態を説明する図
【発明を実施するための形態】
【００１９】
以下、図面に基づいて、本発明の実施の形態を説明する。
図１に示すように、この実施形態に係るガスコンロは、ビルトインタイプに適用されたものであり、矩形箱状のコンロ本体１の上部に備えられた天板２に、左右方向に並べて３つの開口部３が設けられると共に、各開口部３にバーナ４が配置され、各バーナ４に対応して、加熱用容器（鍋など）を載置する五徳５が備えられている。更に、コンロ本体１の内部にはグリル（図示省略）が設けられ、そのグリルからの排ガスを排出するグリル排気口６も、天板２の後部側の部分に設けられている。
又、図示を省略するが、このガスコンロの作動を制御するコントローラ、及び、点火指令、消火指令等の各バーナ４への指令をコントローラに指令する操作部も備えられている。
【００２０】
詳細は後述するが、各バーナ４に対応して、バーナ４を天板２よりも上方に突出する使用位置と天板２よりも下方に引っ込む収納位置とに開口部３を通して昇降する昇降手段Ｅ（例えば、図４及び図５等参照）、及び、バーナ４が使用位置に位置するときに異物が天板２の開口部３を通ってコンロ本体１内に入り込むのを防止する環状で弾性を有するシール材７（例えば、図６、図１０〜図１２等参照）が備えられている。
図４及び図５、並びに、図１０及び図１１に示すように、操作は後述するが、バーナ４を備えると共に、五徳５をその上部がバーナ４の上部よりも高くなる状態のバーナ４との所定の相対位置関係にて着脱自在に装着可能なバーナユニットＢが備えられている。
そして、詳細は後述するが、昇降手段Ｅが、使用位置（図５及び図１１参照）では五徳５が天板２よりも上方に突出し、収納位置（図４及び図１０参照）ではバーナユニットＢの全体が天板２よりも下方に引っ込むように、バーナユニットＢを昇降すべく構成されている。
【００２１】
図２に示すように、天板２の各開口部３に対応して、バーナユニットＢが収納位置に位置するときに、天板２の開口部３を塞ぐことが可能な蓋体８が備えられている。
図２（ａ）に示すように、開口部３に蓋体８が装着された状態では、蓋体８の表面が天板２の上面と略同一平面を形成するように構成されて、美観性及び天板２の清掃性の向上が図られている。
そして、バーナ４を使用するときには、図２（ｂ）に示すように、蓋体８を開口部３から取り外して、図２（ｃ）に示すように、昇降手段Ｅにより、バーナ４を使用位置に上昇させることになる。
【００２２】
図３〜図５に示すように、バーナ４、昇降手段Ｅ、及び、その他のバーナ４に附帯する部材（詳細は後述する）が、台板９上に一体的に組み付けられてバーナセットＳが構成され、３つのバーナセットＳがコンロ本体１内に設けられている。
【００２３】
図４、図５、図１０及び図１１に示すように、バーナ４は、外周部に多数の炎孔４ａを備えたバーナ本体４ｂと、そのバーナ本体４ｂにガス燃料と燃焼用空気との混合気を供給するための混合管４ｃとを一体的に備えるように構成され、混合管４ｃの受入口４ｄにガス燃料を噴出供給するガスノズル１０が、バーナユニットＢと一体で昇降するように、ノズル台１１を介してバーナユニットＢに取り付けられている。
又、バーナ４には、五徳５に載置された加熱用容器の底部に当接して加熱用容器の温度を検出する鍋底温度センサ１２、バーナ４に点火するイグナイタ（図示省略）、及び、バーナ４の燃焼を検知する火炎センサ（図示省略）が取り付けられている。
【００２４】
図３〜図５に示すように、ガス管（図示省略）を介して都市ガス等のガス燃料が供給されるガス管接続部１３とガスノズル１０とが、固定供給路１４とガスノズル１０の昇降に追従して動く従動供給路１５とにより接続されている。
固定供給路１４には、ガスノズル１０へのガス燃料の供給を断続する燃料供給断続弁１６、及び、ガスノズル１０へのガス燃料の供給量を調節する燃料供給量調節弁１７が設けられている。
従動供給路１５は、固定供給路１４の下流端に接続された第１回転継手１８、その第１回転継手１８を介して上流端が固定供給路１４の下流端に接続された第１接続管１９、上流端が第２回転継手２０を介して第１接続管１９の下流端に接続され且つ下流端がノズル台１１に取り付けられた第３回転継手２１に接続された第２接続管２２、及び、上流端が第３回転継手２１に接続され且つ下流端がガスノズル１０に接続された第３接続管２３を備えて構成されている。
【００２５】
第１接続管１９の上流端は、第１回転継手１８を介して、固定供給路１４の下流端に水平方向の軸心周りに回転可能に接続される。又、第２接続管２２の上流端は、第２回転継手２０を介して、第１接続管１９の下流端に水平方向の軸心周りに回転可能に接続され、第２接続管２２の下流端は、第３回転継手２１を介して、第３接続管２３の上流端に水平方向の軸心周りに回転可能に接続される。
つまり、第１、第２及び第３の各回転継手１８，２０，２１の作用により、第１接続管１９の上流端の位置が固定された状態で、ガスノズル１０がバーナユニットＢと一体的に昇降可能となり、混合管４ｃの受入口４ｄとガスノズル１０との相対位置関係が所定に維持された状態で、バーナユニットＢの昇降が可能となる。
そして、固定供給路１４と従動供給路１５を通して供給されるガス燃料がガスノズル１０により受入口４ｄに噴出されると共に、その噴出に伴う吸引作用により、燃焼用空気が受入口４ｄに吸引されて、ガス燃料と燃焼用空気との混合気が混合管４ｃを介してバーナ本体４ｂに供給される。
【００２６】
バーナユニットＢ及び昇降手段Ｅと共に、ガス管接続部１３、固定供給路１４、従動供給路１５、燃料供給断続弁１６及び燃料供給量調節弁１７等が附帯部材として台板９上に一体的に組み付けられて、バーナセットＳが構成される。
【００２７】
次に、昇降手段Ｅによりバーナ４を昇降させる構成について、説明を加える。
図４、図５、図７〜図１１に基づいて、昇降手段Ｅについて説明する。
昇降手段Ｅは、アクチュエータとしての電動モータ２４、及び、その電動モータ２４の出力をバーナ４を昇降させるべく変換する形態で、電動モータ２４をバーナ４に連結する連結機構Ｃを備えて構成されている。
そして、連結機構Ｃにおける電動モータ２４に連結される入力側連結部Ｃｉが、水平方向においてはバーナ４の横側方に位置し、且つ、鉛直方向においてはバーナ４の昇降範囲（図１０及び図１１において、Ｒにて示す範囲）内に位置する状態で、電動モータ２４及び連結機構Ｃがコンロ本体１内に配設されている。
【００２８】
この実施形態では、連結機構Ｃが、支点２５Ｚにて９０度以上の角度（この実施形態では１０５度程度）でＶ字状に屈曲すると共に、支点２５Ｚから延びる２本の棒状部分の一方を入力側アーム部２５Ｘとし、他方を出力側アーム部２５Ｙとして、支点２５Ｚにて水平方向の揺動軸心Ａ１周りに揺動自在に支持される揺動リンク２５を備えて構成されている。ちなみに、Ｖ字状とは、入力側アーム部２５Ｘと出力側アーム部２５Ｙとの間の角度が９０度以上、１８０度より小さい形態のものであり、屈曲部分が丸みを帯びた形態のものを含む。
【００２９】
説明を加えると、一対の揺動リンク２５が、揺動軸心Ａ１に平行な方向に間隔を隔てて対向配置された状態で、入力側アーム部２５Ｘの中間部及び出力側アーム部２５Ｙの中間部夫々で棒状接続体２７，２８にて接続されて、揺動リンク対Ｌが構成されている。更に、枢支軸体２６が、その両端が、一対の揺動リンク２５夫々における入力側アーム部２５Ｘの遊端部２５Ｘｔに、揺動軸心Ａ１に平行な枢支軸心Ａ２周りに回転自在に枢支された状態で設けられている。
【００３０】
コンロ本体１の底部におけるバーナ４の横側部には、一対の柱状の軸支体２９が、上端がバーナ４側とは反対側に向く傾斜姿勢で、揺動リンク２５の揺動軸心Ａ１に平行な方向に並べて立設されている。
そして、揺動リンク対Ｌが、揺動リンク２５の支点２５Ｚに対して、出力側アーム部２５Ｙの遊端部２５Ｙｔがバーナ４側に位置し且つ入力側アーム部２５Ｘの遊端部２５Ｘｔがバーナ４側とは反対側に位置する姿勢で、各揺動リンク２５の支点２５Ｚにて一対の軸支体２９の下端部分に軸支されている。つまり、一対の揺動リンク２５が、コンロ本体１の底部に位置する支点２５Ｚにて水平方向の揺動軸心Ａ１周りに一体的に揺動自在に支持されている。
【００３１】
入力側連結部Ｃｉは、電動モータ２４の出力軸（図示省略）に連設されたネジ軸３１と、一対の揺動リンク２５夫々における入力側アーム部２５Ｘの遊端部２５Ｘｔ同士を連結する枢支軸体２６に取り付けられたナット３２とからなるボールネジ３０にて構成されている。
電動モータ２４が、出力軸に連設されたネジ軸３１をバーナ４側に向けた姿勢で、一対の軸支体２９の上端部に、揺動リンク２５の揺動軸心Ａ１と平行な水平方向の揺動軸心Ａ３周りに揺動自在に軸支されている。
【００３２】
電動モータ２４にて正逆回転されるネジ軸３１にナット３２が螺合され、そのナット３２が、一対の揺動リンク２５夫々における入力側アーム部２５Ｘの遊端部２５Ｘｔ同士を連結する枢支軸体２６に固定されて、電動モータ２４と一対の揺動リンク２５夫々における入力側アーム部２５Ｘの遊端部２５Ｘｔとがボールネジ３０にて連結される。
又、一対の揺動リンク２５夫々における出力側アーム部２５Ｙの遊端部２５Ｙｔが、バーナ４に連動連結される。
そして、電動モータ２４にてネジ軸３１が正逆回転されて、ネジ軸３１に対するその軸心方向でのナット３２の位置が変動すると、一対の揺動リンク２５が支点２５Ｚにて水平方向の揺動軸心Ａ１周りに揺動して、一対の揺動リンク２５夫々における出力側アーム部２５Ｙの遊端部２５Ｙｔが上下方向に運動することになり、それら一対の出力側アーム部２５Ｙの遊端部２５Ｙｔに連動連結されたバーナ４が昇降される。
このように一対の揺動リンク２５が支点２５Ｚにて水平方向の揺動軸心Ａ１周りに揺動すると、一対の揺動リンク２５夫々における入力側アーム部２５Ｘの遊端部２５Ｘｔの位置が上下方向に変動し、その変動に追従して、電動モータ２４が水平方向の揺動軸心Ａ３周りに揺動する。
【００３３】
上述のように、電動モータ２４と一対の揺動リンク２５夫々における入力側アーム部２５Ｘの遊端部２５Ｘｔとをボールネジ３０にて連結すると共に、一対の揺動リンク２５夫々における出力側アーム部２５Ｙの遊端部２５Ｙｔをバーナ４に連動連結して、電動モータ２４により一対の揺動リンク２５を支点２５Ｚにて水平方向の揺動軸心Ａ１周りで揺動させて、バーナ４を使用位置と収納位置とに昇降させるに当たっては、下記の条件を満足するように、コンロ本体１内におけるバーナ４、一対の揺動リンク２５及び電動モータ２４の相対配置関係、バーナ４の昇降範囲Ｒ、並びに、一対の揺動リンク２５の形状等が設定されている。
即ち、一対の揺動リンク２５夫々における入力側アーム部２５Ｘの遊端部２５Ｘｔが、鉛直方向においてはバーナ４の昇降範囲Ｒ内に位置する条件（図１０及び図１１参照）、及び、一対の揺動リンク２５がバーナ４を収納位置に位置させるように揺動された状態では、出力側アーム部２５Ｙの遊端部２５Ｙｔが支点２５Ｚと同高さに位置する条件（図１０参照）である。
【００３４】
つまり、揺動リンク２５が、入力側アーム部２５Ｘの遊端部２５Ｘｔが、水平方向においてはバーナ４の横側方に位置し、且つ、鉛直方向においてはバーナ４の昇降範囲Ｒ内に位置する状態で、出力側アーム部２５Ｙの遊端部２５Ｙｔがバーナ４側の側に向く姿勢で配設され、入力側アーム部２５Ｘの遊端部２５Ｘｔが入力側連結部Ｃｉを介して電動モータ２４に連動連結され、出力側アーム部２５Ｙの遊端部２５Ｙｔがバーナ４に連動連結されていることになる。
又、入力側アーム部２５Ｘの遊端部２５Ｘｔが支点２５Ｚよりも上方に位置する姿勢で、バーナ４を収納位置に位置させるように揺動された状態では、出力側アーム部２５Ｙの遊端部２５Ｙｔが支点２５ｘと同高さに位置するように、揺動リンク２５が配設されていることになる。
【００３５】
次に、図４〜図６、及び、図１０〜図１２に基づいて、シール材７によりバーナユニットＢの外周部と天板２の開口部３の内周部との間をシールする構成について、説明を加える。
本発明では、バーナユニットＢは、天板２の開口部３に進入可能な環状の張り出し部３３ｂを有する円筒状の筒状バーナ支持体３３に、バーナ４が張り出し部３３ｂよりも上方に突出する状態で一体的に組み付けられて構成されている。
主に、図６、図１０及び図１１に示すように、筒状バーナ支持体３３における張り出し部３３ｂよりも下方側の部分を上端側から挿入可能な円筒状に構成されると共に、上端外周部に環状のシール材７を載置支持可能な環状のシール載置面３４ｆを有する筒状バーナ載置台３４が、昇降手段Ｅに連動連結された状態で設けられている。
筒状バーナ支持体３３が筒状バーナ載置台３４にその上端側から挿入されて、筒状バーナ載置台３４のシール載置面３４ｆと筒状バーナ支持体３３の張り出し部３３ｂとの間にシール材７を介在させた状態で、バーナユニットＢが筒状バーナ載置台３４の軸心方向に筒状バーナ載置台３４に対して相対移動自在に筒状バーナ載置台３４に載置支持されている。
そして、昇降手段Ｅにより筒状バーナ載置台３４を昇降してバーナユニットＢを昇降させて、バーナ４を使用位置と収納位置とに昇降可能に構成されている。
バーナユニットＢを受け止めてそのバーナユニットＢの上昇を阻止して、バーナ４を使用位置に位置させる上昇阻止部Ｈが設けられ、昇降手段Ｅにより筒状バーナ載置台３４を上昇させる上死点Ｐｔ（図１２（ｃ）参照）が、シール材７の非拡径状態が維持される状態で、バーナユニットＢを上昇阻止部Ｈに受け止められるまで上昇させる筒状バーナ載置台３４の位置Ｐｓ（図１２（ｂ）参照、以下、上昇阻止対応位置と記載する場合がある。）よりも上方に設定されている。
【００３６】
更に説明を加えると、図６、図１０及び図１１に加えて、図９にも示すように、筒状バーナ支持体３３の上端は、筒内径よりも小径の孔を有する台板３３ｐにて閉じられ、下端は全体にわたって開口され、張り出し部３３ｂは、その上面が台板３３ｐの上面と同一面となるように、筒状バーナ支持体３３の上端に設けられている。
図１０及び図１１に示すように、バーナ４は、バーナ本体４ｂが台板３３ｐ上に載置され、混合管４ｃが台板３３ｐの孔を通って台板３３ｐの下方に突出する状態で、筒状バーナ支持体３３に一体的に組み付けられて、バーナユニットＢが構成されている。つまり、筒状バーナ支持体３３の外周面がバーナユニットＢの外周部に相当する。
五徳５は、その上部がバーナ４の上部よりも高くなる状態のバーナ４との相対位置関係にて位置する状態で、筒状バーナ支持体３３の台板３３ｐ上に載置自在に構成されている。
【００３７】
図６、図１０及び図１１に加えて、図９にも示すように、コンロ本体１の底部には、長手方向に沿ってスリット３５ｓを有する４本の柱状の昇降案内体３５が、夫々のスリット３５ｓが鉛直方向に沿う姿勢で、筒状バーナ支持体３３の内径よりも小径の円周上に沿って中心角で９０度ずつ間隔を開けて並ぶ状態で立設されている。
筒状バーナ支持体３３の内周面の下端部には、４個の案内ボルト３６が、４本の昇降案内体３５のスリット３５ｓに各別に嵌まり込むように突設されている。
【００３８】
そして、筒状バーナ支持体３３の４個の案内ボルト３６夫々が４本の昇降案内体３５のスリット３５ｓ夫々に嵌まり込む状態で、バーナユニットＢが配設され、４本の昇降案内体３５により、バーナユニットＢの鉛直方向に沿う移動が案内される。
又、図１１及び図１２（ｃ）に示すように、４個の案内ボルト３６夫々が４本の昇降案内体３５夫々のスリット３５ｓの上端に当接するまでバーナユニットＢが上昇すると、筒状バーナ支持体３３の台板３３ｐの上面及び張り出し部３３ｂの上面が天板２の上面と略同一面となって、バーナ４が使用位置に位置するように、４本の昇降案内体３５夫々のスリット３５ｓの上端が設定されている。
つまり、コンロ本体１の底部に立設された４本の昇降案内体３５と、それら４本の昇降案内体３５のスリット３５ｓに嵌まり込むように筒状バーナ支持体３３の内周面に突設された４個の案内ボルト３６とにより、バーナ４の鉛直方向の移動を案内する案内手段Ｇ、及び、上述した上昇阻止部Ｈが構成される。
【００３９】
図６、図１０及び図１１に加えて、図８にも示すように、筒状バーナ載置台３４は、全体的には概略有底円筒状に構成されて、その上端は、全体にわたって開口されると共に、その上端に張り出し部３４ｂが備えられて、その張り出し部３４ｂの上面を含む筒状バーナ載置台３４の上端面が、環状のシール載置面３４ｆとされ、筒状バーナ載置台３４の下端は底板３４ｐにて閉じられている。
筒状バーナ載置台３４の内径は、筒状バーナ支持体３３の外径よりも僅かに大きくなるように設定されている。
尚、筒状バーナ載置台３４は、概略環状の上部側部分３４Ｕと、概略有底円筒状の下部側部分３４Ｄとを組み合わせて構成され、シール載置面３４ｆは上部側部分３４Ｕに備えられ、底板３４ｐは下部側部分３４Ｄに備えられている。
筒状バーナ載置台３４の下部側部分３４Ｄには、バーナ４の混合管４ｃを挿通させるための切り欠き３４ｃが周壁から底板３４ｐにわたって設けられている。
【００４０】
筒状バーナ載置台３４の底板３４ｐには、４本の昇降案内体３５を各別に挿通自在なように、４個の案内体挿通孔３４ｇが設けられている。
又、筒状バーナ載置台３４の底板３４ｐには、一対の揺動リンク２５夫々における出力側アーム部２５Ｙの遊端部２５Ｙｔ同士の間隔よりも広い間隔を開けて、一対のスリット３４ｓが形成され、筒状バーナ載置台３４の底板３４ｐの上面における各スリット３４ｓの内側には、軸支用突起部３４ｔが立設されている。
【００４１】
そして、各揺動リンク２５の出力側アーム部２５Ｙの遊端部２５Ｙｔに、連結リンク３７の一端部が、揺動リンク２５の揺動軸心Ａ１に平行な枢支軸心Ａ４で枢支され、各連結リンク３７の他端部が、筒状バーナ載置台３４のスリット３４ｓを貫通させて軸支用突起部３４ｔに揺動リンク２５の揺動軸心Ａ１に平行な枢支軸心Ａ５で枢支されている。
つまり、バーナ４が、案内手段Ｇにより鉛直方向に移動自在に支持された状態で設けられ、一端部が水平方向に沿う枢支軸心Ａ４で出力側アーム部２５Ｙの遊端部２５Ｙｔに枢支され、且つ、他端部が水平方向に沿う枢支軸心Ａ５でバーナ４側に枢支された連結リンク３７にて、出力側アーム部２５Ｙの遊端部２５Ｙｔとバーナ４とが連結されていることになる。
【００４２】
図６、図１０及び図１１に加えて、図７にも示すように、開口部３は、天板２に垂下状態で設けられた円筒状の開口部形成筒３８にて構成されている。
この開口部形成体３８は、コンロ本体１の底部に立設された４本の柱状支持体３９により、天板２に垂下された状態で固定されている。
開口部形成筒３８の上端には、内径が下方側の部分よりも大径となる大径内周部３８ｉが段状に備えられ、開口部形成筒３８におけるこの大径内周部３８ｉが、天板２の開口部３に対応する部分である。
筒状バーナ支持体３３の張り出し部３３ｂの外径、及び、筒状バーナ載置台３４の張り出し部３４ｂの外径は共に、開口部形成筒３８の大径内周部３８ｉよりも下方側部分の内径よりも僅かに小さくなるように設定されている。
【００４３】
天板２に垂下状態で設けられた開口部形成筒３８内に、一対の連結リンク３７にて一対の揺動リンク２５における出力側アーム部２５Ｙの遊端部２５Ｙｔに連結された筒状バーナ載置台３４が配置され、その筒状バーナ載置台３４のシール載置面３４ｆにシール材７を載置支持した状態で、筒状バーナ支持体３３が筒状バーナ載置台３４にその上端側から挿入される。
すると、筒状バーナ載置台３４のシール載置面３４ｆと筒状バーナ支持体３３の張り出し部３３ｂとの間に、シール材７が介在される。又、バーナユニットＢが、筒状バーナ支持体３３の外周面が筒状バーナ載置台３４の内周面に近接又は摺接する状態で、筒状バーナ載置台３４の軸心方向に筒状バーナ載置台３４に対して相対移動自在に筒状バーナ載置台３４に載置支持されることになる。そして、昇降手段Ｅにより、筒状バーナ載置台３４及びそれに載置支持されたバーナユニットＢが、筒状バーナ支持体３３の張り出し部３３ｂの外周面が開口部形成筒３８の内周面に近接又は摺接する状態で、開口部形成筒３８内を通して昇降されることになる。
【００４４】
バーナユニットＢ（即ち、バーナ４、以下同様）、アクチュエータとしての電動モータ２４、連結機構Ｃ、並びに、入力側連結部Ｃｉを上述のような相対位置関係でコンロ本体１内に配設することにより、図１０及び図１１に示すように、コンロ本体１内において、収納位置にてバーナユニットＢが占めるスペースの下方には、電動モータ２４を設置するためのスペースは全く確保する必要がなく、連結機構Ｃを設置するスペースについても、全く確保する必要がないか、あるいは、連結機構Ｃのうち水平方向においてバーナユニットＢと重なって位置する部分を設置するスペースを確保するだけで十分である。この実施形態では、連結機構Ｃを構成する揺動リンク２５のうちで出力側アーム部２５Ｙが水平方向においてバーナユニットＢと重なって位置すると共に、バーナユニットＢの下方に突出しているので、コンロ本体１内において、収納位置にてバーナユニットＢが占めるスペースの下方には、移動リンク２５のうちの出力側アーム部２５Ｙを設置するスペースを確保するだけで十分である。
【００４５】
更に、バーナユニットＢ（即ち、バーナ４、以下同様）に連動連結する揺動リンク２５の出力側アーム部２５Ｙは、細長のアーム状として、上下方向の寸法を極力小さくすることができる。しかも、揺動リンク２５は、入力側アーム部２５Ｘの遊端部２５Ｘｔが支点２５Ｚよりも上方に位置する姿勢で、バーナユニットＢを収納位置に位置させるように揺動された状態では、出力側アーム部２５Ｙの遊端部２５Ｙｔが支点２５Ｚと同高さに位置する状態となるように配設されている。これらのことにより、コンロ本体１内において、収納位置にてバーナユニットＢが占めるスペースの下方に必要とするスペースを、より一層小さくすることが可能となる。
従って、コンロ本体１の厚さを薄くすることができるので、バーナ昇降式のガスコンロの薄型化を図ることができる。
【００４６】
図６及び図１２に基づいて、シール材７について説明を加える。
尚、筒状バーナ支持体３３の張り出し部３３ｂと筒状バーナ載置台３４のシール載置面３４ｆとの間にシール材７を介在させた状態で、バーナユニットＢが筒状バーナ載置台３４に載置支持されている状態において、筒状バーナ載置台３４が上昇阻止対応位置Ｐｓやその上昇阻止対応位置Ｐｓよりも下方に位置するときには（図６、図１２（ａ）、図１２（ｂ））、シール材７は拡径していない非拡径状態にある。
【００４７】
そして、図６、図１２（ａ）、図１２（ｂ）に示すように、非拡径状態のシール材７の外径は、筒状バーナ載置台３４の張り出し部３４ｂの外径と同等又はその外径よりも僅かに小さくなるように、即ち、開口部形成筒３８の内径よりも小さくなるように設定されている。
又、非拡径状態のシール材７の内径は、筒状バーナ支持体３３の外径よりも僅かに大きくなるように設定されている。
更に、図１２（ｃ）に示すように、シール材７は、厚さ方向に押圧されると、外径が開口部形成筒３８の大径内周部３８ｉの内径よりも大きくなるように拡径可能なように構成されている。
つまり、シール材７は、非拡径状態では外径が開口部形成筒３８の内径よりも小さくて大径内周部３８ｉ（即ち、開口部３）に進入可能で、厚さ方向に押圧されると、外径が開口部形成筒３８の大径内周部３８ｉよりも大きくなるように、即ち、開口部３の内周部に当接するように拡径可能なように構成されていることになる。
【００４８】
図示を省略するが、電動モータ２４には、その回転を検出するロータリエンコーダが設けられ、コントローラは、そのロータリエンコーダの検出信号に基づいて、電動モータ２４の作動を制御するように構成されている。
予め、昇降手段Ｅにより筒状バーナ載置台３４を昇降させる範囲の上死点Ｐｔ（図１２（ｃ）参照）に対応して、上死点用パルス数が、及び、下死点Ｐｄ（図１２（ａ）参照）に対応して、下死点用パルス数が夫々設定されて、コントローラの記憶部に記憶されている。
ちなみに、昇降手段Ｅによる筒状バーナ載置台３４の昇降範囲Ｒの上死点Ｐｔは、上述したように、筒状バーナ載置台３４の上昇阻止対応位置Ｐｓ（図１２（ｂ）参照）よりも上方に設定されている。
【００４９】
図示を省略するが、操作部には、各バーナ４に対応させて、バーナ４の上昇を指令するバーナ上昇スイッチ、及び、バーナ４の下降を指令するバーナ下降スイッチが備えられている。
コントローラは、バーナ上昇スイッチによりバーナ４の上昇が指令されると、電動モータ２４を作動させ、ロータリエンコーダの検出パルス数が上死点用パルス数になると、電動モータ２４を停止させる。又、バーナ下降スイッチによりバーナ４の下降が指令されると、電動モータ２４を作動させ、ロータリエンコーダの検出パルス数が下死点用パルス数になると、電動モータ２４を停止させる。
【００５０】
図１２（ａ）に示すように、バーナ４が収納位置に位置する状態、即ち、筒状バーナ載置台３４が下死点Ｐｄに位置する状態から上昇されると、先ず、図１２（ｂ）に示すように、筒状バーナ支持体３３の内周面に突設された４個の案内ボルト３６夫々が４本の昇降案内体３５夫々のスリット３５ｓの上端に当接して、筒状バーナ支持体３３の台板３３ｐの上面及び張り出し部３３ｂの上面が天板２の上面と略同一面となる使用位置で、バーナユニットＢの上昇が阻止される。この状態では、筒状バーナ載置台３４は上昇阻止対応位置Ｐｓに位置しており、シール材７は筒状バーナ載置台３４のシール載置面３４ｆにより押圧されないので、拡径しない。
【００５１】
昇降手段Ｅによる筒状バーナ載置台３４の昇降範囲Ｒの上死点Ｐｔは、図１２（ｂ）に示される上昇阻止対応位置Ｐｓよりも上方に設定されているので、図１２（ｃ）に示すように、上昇阻止部ＨによりバーナユニットＢの上昇が阻止される状態で筒状バーナ載置台３４が上死点Ｐｔにまで更に上昇される。すると、シール材７は、筒状バーナ支持体３３の張り出し部３３ｂに受け止められた状態で筒状バーナ載置台３４のシール載置面３４ｆにて厚さ方向に押圧されるので、シール材７は、厚さが薄くなりながら拡径して、開口部形成筒３８の上端の大径内周部３８ｉ内に嵌まり込む。つまり、上昇阻止部ＨによりバーナユニットＢの上昇が阻止されるのに伴って、シール材７が筒状バーナ支持体３３の張り出し部３３ｂにて受け止められた状態で筒状バーナ載置台３４のシール載置面３４ｆにより押圧されて拡径すると、シール材７が開口部形成筒３８の大径内周部３８ｉに嵌まり込むように構成されていることになる。
【００５２】
そして、シール材７が拡径して開口部形成筒３８の大径内周部３８ｉ内に嵌まり込むと、開口部形成筒３８の大径内周部３８ｉの内面と筒状バーナ支持体３３の外周面（バーナユニットＢの外周部に対応する）とに全周にわたって当接し、バーナユニットＢの外周部と天板２の開口部３の内周部との間が確実にシールされる。
従って、バーナ４を使用位置に位置させているときに、加熱用容器から吹き零れた煮汁等の異物が天板２の開口部３を通ってコンロ本体１内に入り込むのを防止することができる。
【００５３】
図８、図１３及び図１４に示すように、筒状バーナ載置台３４の筒周壁部には、４個の係合孔３４ｈが、中心角で９０度ずつ間隔を開けて周方向に並ぶ状態で設けられている。
又、図９、図１３及び図１４に示すように、筒状バーナ支持体３３の外周面には、４個の係合ボルト４０が、筒状バーナ載置台３４の４個の係合孔３４ｈに各別に入り込み、且つ、筒状バーナ支持体３３と筒状バーナ載置台３４との相対位置関係が、筒状バーナ支持体３３の張り出し部３３ｂと筒状バーナ載置台３４のシール載置面３４ｆとの間隔が非拡径状態のシール材７の厚さよりも大きくなる状態に対応する相対位置関係になったときに、筒状バーナ載置台３４の４個の係合孔３４ｈ夫々の上端が当接するように突設されている。
【００５４】
図１４（ａ）に示すように、バーナユニットＢが使用位置に位置されているときに、シール材７が開口部形成筒３８の内周面に密着していると、バーナユニットＢが筒状バーナ載置台３４に載置支持される状態が解除されても、図１４（ｂ）に示すように、バーナユニットＢが使用位置に残されたままで下降しない場合がある。このような場合でも、筒状バーナ載置台３４がそのシール載置面３４ｆがシール材７から離間するまで下降して、筒状バーナ支持体３３と筒状バーナ載置台３４との相対位置関係が、筒状バーナ支持体３３の張り出し部３３ｂと筒状バーナ載置台３４のシール載置面３４ｆとの間隔が非拡径状態のシール材７の厚さよりも大きくなる状態に対応する相対位置関係になると、筒状バーナ載置台３４の４個の係合用孔３４ｈ夫々の上端が４個の係合ボルト４０夫々に当接するので、バーナユニットＢが強制的に下降される。
【００５５】
つまり、軸心方向での筒状バーナ支持体３３と筒状バーナ載置台３４との相対位置関係が、筒状バーナ支持体３３の張り出し部３３ｂと筒状バーナ載置台３４のシール載置面３４ｆとの間隔が非拡径状態のシール材７の厚さよりも大きくなる状態に対応する相対位置関係になったときに、互いに係合可能なように、凸状の係合部として４個の係合ボルト４０が筒状バーナ支持体３３に、凹状の被係合部として４個の係合孔３４ｈが筒状バーナ載置台３４に夫々設けられていることになる。
【００５６】
〔別実施形態〕
次に別実施形態を説明する。
（イ）  上記の実施形態では、天板２の開口部３を、天板２に垂下状態で設けられた開口部形成筒３８にて構成したが、開口部３を天板２に形成して、上記の実施形態にて設けた開口部形成筒３８を省略しても良い。
【００５７】
（ロ）  上記の実施形態では、バーナユニットＢに五徳５を着脱自在に装着可能に構成して、五徳５を装着したバーナユニットＢを昇降手段Ｅにて昇降するように構成したが、バーナユニットＢのみを昇降手段Ｅにて昇降するように構成して、使用位置に位置させた状態のバーナ４に対して、所定の相対位置関係で五徳５を配設可能なように構成しても良い。
【００５８】
（ハ）  概略有底筒状の筒状バーナ載置台３４は、上記の実施形態では、概略環状の上部側部分３４Ｕと概略有底円筒状の下部側部分３４Ｄとの二部材を組み合わせて構成したが、一部材にて構成しても良い。
【００５９】
（ニ）  昇降手段Ｅを構成するアクチュエータ及び連結機構Ｃ夫々の具体構成は、上記の実施形態において例示した構成に限定されるものではない。
例えば、連結機構Ｃを上記の実施形態と同様に構成する場合でも、アクチュエータとしては、電動シリンダ等のシリンダを用いることができる。
又、連結機構Ｃをラックアンドピニオン機構にて構成しても良い。つまり、ラックをその長手方向を鉛直方向に沿わせた姿勢でバーナ４に取り付け、アクチュエータとして電動モータの出力軸に固定したピニオンをラックに螺合させることになる。
又、アクチュエータを省略して、連結機構Ｃを手動で操作するように構成しても良い。
【００６０】
（ホ）  凸状の係合部及び凹状の被係合部を筒状バーナ支持体３３と筒状バーナ載置台３４とに振り分けて設けるに当たって、上記の実施形態では、凸状の係合部（具体的には４個の係合ボルト４０）を筒状バーナ支持体３３に設け、凹状の被係合部（具体的には４個の係合孔３４ｈ）を筒状バーナ載置台３４に設けたが、逆に、凸状の係合部を筒状バーナ載置台３４に設け、凹状の被係合部を筒状バーナ支持体３３に設けても良い。
【００６１】
（ヘ）  上昇阻止部Ｈの具体構成は、上記の実施形態において例示した構成、即ち、コンロ本体１の底部に立設された４本の昇降案内体３５と、筒状バーナ支持体３３の内周面に突設された４個の案内ボルト３６とから成る構成に限定されるものではない。例えば、筒状バーナ支持体３３に鉛直方向に沿うスリットを形成し、そのスリットに嵌まり込むと共に、バーナ４が使用位置に位置するようにバーナユニットＢが上昇するとそのスリットの下端に当接するように、突起部をコンロ本体１に設けて、それら筒状バーナ支持体３３に形成したスリットとコンロ本体１に設けた突起部とにより、上昇阻止部Ｈを構成しても良い。
【００６２】
（ト）  本発明を適用可能なガスコンロは、上記の実施形態において例示したビルトインタイプに限定されるものではなく、据え置きタイプ、一口タイプ等、種々のガスコンロに適用可能である。
【産業上の利用可能性】
【００６３】
以上説明したように、バーナを使用位置に位置させているときに、異物が天板の開口部を通ってコンロ本体内に入り込むのを防止し得るバーナ昇降式のガスコンロを提供することができる。
【符号の説明】
【００６４】
１      コンロ本体
２      天板
３      開口部
４      バーナ
５      五徳
８      蓋体
７      シール材
３３    筒状バーナ支持体
３３ｂ  張り出し部
３４    筒状バーナ載置台
３４ｆ  シール載置面
３４ｈ  係合孔（凹状の被係合部）
３８    開口部形成筒
３８ｉ  大径内周部
４０    係合ボルト（凸状の係合部）
Ｂ      バーナユニット
Ｅ      昇降手段
Ｈ      上昇阻止部
Ｐｔ    上死点
【図１】
0005770554.tif 000002
【図２】
0005770554.tif 000003
【図３】
0005770554.tif 000004
【図４】
0005770554.tif 000005
【図５】
0005770554.tif 000006
【図６】
0005770554.tif 000007
【図７】
0005770554.tif 000008
【図８】
0005770554.tif 000009
【図９】
0005770554.tif 000010
【図１０】
0005770554.tif 000011
【図１１】
0005770554.tif 000012
【図１２】
0005770554.tif 000013
【図１３】
0005770554.tif 000014
【図１４】
0005770554.tif 000015